【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
それぞれシーケンス番号が付加された複数のデータフレームを有する物理フレームを作成する作成手段と、
前記物理フレームを送信する送信手段と、
前記送信手段によって送信した複数のデータフレームを記憶する第１記憶手段と、
前記複数のデータフレームのシーケンス番号を記憶する第２記憶手段と、
前記送信手段で前記物理フレームを送信してから最小フレーム間隔経過した後に、前記物理フレームの宛先である通信装置から、始点シーケンス番号と、前記複数のデータフレームの少なくとも１つの受信状態を示すビットマップとを含む送達確認フレームを受信する受信手段と、
前記第２記憶手段に記憶されたシーケンス番号と、前記始点シーケンス番号と、前記ビットマップとから、前記複数のデータフレームのうち、再度送信するデータフレームを決定する決定手段とを備えることを特徴とする通信装置。
【請求項２】
それぞれシーケンス番号が付加された複数のデータフレームを有する物理フレームを作成する作成手段と、
前記物理フレームを送信する送信手段と、
前記送信手段によって送信した複数のデータフレームを記憶する第１記憶手段と、
前記複数のデータフレームのシーケンス番号を記憶する第２記憶手段と、
前記送信手段で前記物理フレームを送信してからＳＩＦＳ期間経過した後に、前記物理フレームの宛先である通信装置から、始点シーケンス番号と、前記複数のデータフレームの少なくとも１つの受信状態を示すビットマップとを含む送達確認フレームを受信する受信手段と、
前記第２記憶手段に記憶されたシーケンス番号と、前記始点シーケンス番号と、前記ビットマップとから、前記複数のデータフレームのうち、再度送信するデータフレームを決定する決定手段とを備えることを特徴とする通信装置。
【請求項３】
前記決定手段は、前記送達確認フレームに含まれる始点シーケンス番号よりも小さいシーケンス番号が付加され、かつ、送信に成功していないデータフレームを、再度送信するデータフレームと決定することを特徴とする請求項１または請求項２に記載の通信装置。
【請求項４】
前記送信手段が前記物理フレームを送信したあと一定期間が経過しても、前記受信手段が前記送達確認フレームを受信しない場合に、前記送信手段は、前記複数のデータフレームに付加されたシーケンス番号のいずれかを始点シーケンス番号とする送達確認要求フレームを送信することを特徴とする請求項１乃至請求項３のいずれか１項に記載の通信装置。
【請求項５】
前記送達確認要求フレームの応答であって、受信成功したデータフレームが無いことを示す送達確認フレームを前記受信手段が受信した場合に、前記送信手段は、前記複数のフレームをすべて再送することを特徴とする請求項４記載の通信装置。
【請求項６】
複数のデータフレームを有する物理フレームを作成する作成手段と、
前記物理フレームを送信する送信手段と、
前記送信手段で前記物理フレームを送信してから最小フレーム間隔経過した後に、前記物理フレームの宛先である通信装置から、前記複数のデータフレームの少なくとも１つの受信状態を示す送達確認フレームを受信する受信手段とを備えることを特徴とする通信装置。
【請求項７】
複数のデータフレームを有する物理フレームを作成する作成手段と、
前記物理フレームを送信する送信手段と、
前記送信手段で前記物理フレームを送信してからＳＩＦＳ期間経過した後に、前記物理フレームの宛先である通信装置から、前記複数のデータフレームの少なくとも１つの受信状態を示す送達確認フレームを受信する受信手段とを備えることを特徴とする通信装置。
【請求項８】
それぞれシーケンス番号が付加された複数のデータフレームを有する物理フレームを受信する受信手段と、
始点シーケンス番号と、前記複数のデータフレームの少なくとも１つの受信状態を示すビットマップとを含む第１送達確認フレームを作成する作成手段と、
前記受信手段で前記物理フレームを受信してから最小フレーム間隔経過した後に、前記物理フレームの送信元である通信装置に対して、前記第１送達確認フレームを送信する送信手段とを備え、
前記受信手段は、前記複数のデータフレームに付加されたシーケンス番号と、前記始点シーケンス番号と、前記ビットマップとに応じて、前記複数のデータフレームの少なくとも１つを再度受信することを特徴とする通信装置。
【請求項９】
それぞれシーケンス番号が付加された複数のデータフレームを有する物理フレームを受信する受信手段と、
始点シーケンス番号と、前記複数のデータフレームの少なくとも１つの受信状態を示すビットマップとを含む第１送達確認フレームを作成する作成手段と、
前記受信手段で前記物理フレームを受信してからＳＩＦＳ期間経過した後に、前記物理フレームの送信元である通信装置に対して、前記第１送達確認フレームを送信する送信手段とを備え、
前記受信手段は、前記複数のデータフレームに付加されたシーケンス番号と、前記始点シーケンス番号と、前記ビットマップとに応じて、前記複数のデータフレームの少なくとも１つを再度受信することを特徴とする通信装置。
【請求項１０】
前記作成手段は、前記第１送達確認フレームの前記始点シーケンス番号を、前記複数のデータフレームのシーケンス番号のいずれかとすることを特徴とする請求項８または請求項９に記載の通信装置。
【請求項１１】
前記第１送達確認フレームに含まれるビットマップを記憶する記憶手段をさらに備え、
前記受信手段が送達確認要求フレームを受信した場合に、前記作成手段は、前記記憶手段に記憶されたビットマップによって第２送達確認フレームを作成し、
前記送信手段は、前記第２送達確認フレームを送信することを特徴とする請求項１０に記載の通信装置。
【請求項１２】
前記送達確認要求フレームの始点シーケンス番号が、前記送達確認要求フレームを受信する前に受信したデータフレームのシーケンス番号よりも大きい場合、前記作成手段は、受信に成功したデータフレームが無いことを示す第３送達確認フレームを作成し、
前記送信手段は、前記第３送達確認フレームを送信することを特徴とする請求項１１に記載の通信装置。
【請求項１３】
前記送達確認要求フレームの始点シーケンス番号が、前記記憶手段に記憶された前記ビットマップの最後のビットに対応するシーケンス番号以下であれば、前記作成手段は、前記ビットマップの少なくとも一部を含む第４送達確認フレームを作成し、
前記送信手段は、前記第４送達確認フレームを送信することを特徴とする請求項１１に記載の通信装置。
【請求項１４】
複数のデータフレームを有する物理フレームを受信する受信手段と、
前記複数のデータフレームの少なくとも１つの受信状態を通知するための第１送達確認フレームを作成する作成手段と、
前記受信手段で前記物理フレームを受信してから最小フレーム間隔経過した後に、前記物理フレームの送信元である通信装置に対して、前記第１送達確認フレームを送信する送信手段とを備えることを特徴とする通信装置。
【請求項１５】
複数のデータフレームを有する物理フレームを受信する受信手段と、
前記複数のデータフレームの少なくとも１つの受信状態を通知するための第１送達確認フレームを作成する作成手段と、
前記受信手段で前記物理フレームを受信してからＳＩＦＳ期間経過した後に、前記物理フレームの送信元である通信装置に対して、前記第１送達確認フレームを送信する送信手段とを備えることを特徴とする通信装置。
【請求項１６】
複数のデータフレームを有する物理フレームを作成し、
前記物理フレームを送信し、
前記物理フレームを送信してから最小フレーム間隔経過した後に、前記物理フレームの宛先である通信装置から、前記複数のデータフレームの少なくとも１つの受信状態を示す送達確認フレームを受信することを特徴とする通信方法。
【請求項１７】
複数のデータフレームを有する物理フレームを作成し、
前記物理フレームを送信し、
前記物理フレームを送信してからＳＩＦＳ期間経過した後に、前記物理フレームの宛先である通信装置から、前記複数のデータフレームの少なくとも１つの受信状態を示す送達確認フレームを受信することを特徴とする通信方法。
【請求項１８】
複数のデータフレームを有する物理フレームを受信し、
前記複数のデータフレームの少なくとも１つの受信状態を通知するための第１送達確認フレームを作成し、
前記物理フレームを受信してから最小フレーム間隔経過した後に、前記物理フレームの送信元である通信装置に対して、前記第１送達確認フレームを送信することを特徴とする通信方法。
【請求項１９】
複数のデータフレームを有する物理フレームを受信し、
前記複数のデータフレームの少なくとも１つの受信状態を通知するための第１送達確認フレームを作成し、
前記物理フレームを受信してからＳＩＦＳ期間経過した後に、前記物理フレームの送信元である通信装置に対して、前記第１送達確認フレームを送信することを特徴とする通信方法。